【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
地表面下の流体貯留層から生成管列への流体の流れを制御するための流入制御デバイスであって、
軸を有する中央穴を画定する管状部材であって、当該管状部材の上流および下流端部は前記生成管列に連結する、管状部材と、
前記管状部材の壁に形成された複数の通路と、
流体を受け入れるために前記管状部材の外部に導く前記複数の通路に対する上流入口と、
前記流体の密度に応じて流れ制限器を通る流れを制限するために、選択されたおよび異なる密度の浮遊素子を備える、少なくとも２つの当該流れ制限器を有する各通路と、
前記流れ制限器の流出物と流体連通した各通路内に位置付けられた少なくとも１つの圧力降下デバイスであって、前記貯留層の流体圧力に基づいて流れている前記流体内に圧力差を作り出すための圧力ピストンを有する、圧力降下デバイスと、を備え、
前記圧力降下デバイスの流出物は、前記中央穴と連通して流入流体ポートの中に流れる、流入制御デバイス。
【請求項２】
前記流入制御デバイスの上流端部近くの前記管状部材によって画定された環状開口内に位置付けられたフィルタ材を更に備え、前記フィルタ材は、前記地表面下の流体貯留層と前記上流入口との間の流体連通を可能にし、前記流入制御デバイスの中への粒子状物質の流れを制限する、請求項１に記載の流入制御デバイス。
【請求項３】
圧力作動型部材は、前記管状部材の前記壁内に位置付けられ、前記フィルタ材から粒子を除去するために前記中央穴から前記フィルタ材への流体連通を可能にするように、前記中央穴内の圧力に応じて作動可能である、請求項２に記載の流入制御デバイス。
【請求項４】
各通路の終端部が前記通路の先頭部から１８０度であるように、前記複数の通路の各通路は、前記管状部材を部分的に取り囲み、
前記少なくとも２つの流れ制限器は、油に対する高い水の比率および油に対する高いガスの比率を有する貯留層流体の流れを制限するために各通路内に位置付けられる、請求項１に記載の流入制御デバイス。
【請求項５】
前記複数の通路における少なくとも１つの通路は、垂直に向けられた先頭部および垂直に向けられた終端部を有し、
前記少なくとも２つの流れ制限器の少なくとも１つは、前記流入制御デバイスの最も高い高さにあり、
前記少なくとも２つの流れ制限器の少なくとも１つは、前記流入制御デバイスの最も低い高さにある、請求項４に記載の流入制御デバイス。
【請求項６】
前記流れ制限器は、前記浮遊部材の径方向および軸方向の移動を可能にし、前記浮遊部材の周囲の移動を制限する、請求項１に記載の流入制御デバイス。
【請求項７】
前記圧力ピストンは第一ピストンを有し、第二ピストンは、表面から前記生成列に印加される流体圧力に応じて前記流入流体ポートを通る流体の流れを絞るために、前記複数の通路に最も近く位置付けられる、請求項１に記載の流入制御デバイス。
【請求項８】
前記管状部材を取り囲む管状筺体を更に備え、
前記管状筺体の内径は、前記管状筺体と前記管状部材との間の環部を画定し、
前記複数の通路、前記少なくとも２つの流れ制限器、および前記圧力降下デバイスは、前記環部内に形成される、請求項１に記載の流入制御デバイス。
【請求項９】
前記圧力降下デバイスは、
圧力降下デバイス筺体の軸に沿う複数のポート、上流端部における開口、および下流端部における圧力均等化ポートを有する、当該圧力降下デバイス筺体を備え、
前記圧力降下デバイス筺体は、前記圧力降下デバイス筺体と前記管状部材との間に圧力降下デバイス環部を画定し、前記圧力降下デバイス環部は、前記流入流体ポートと流体連通し、
前記圧力ピストンは、前記圧力降下デバイス筺体内に位置付けられ、
前記圧力ピストンは、前記複数のポートの一部を露出し、前記流入流体ポートの中を通過する貯留層流体の流れを制限するために、前記開口における前記流体圧力および前記圧力均等化ポートにおける流体圧力に応じて移動する、請求項１に記載の流入制御デバイス。
【請求項１０】
前記開口を通って流れる前記貯留層流体が予測された油に対するガスの比率および油に対する水の比率ならびに低い圧力を有する場合には、前記圧力ピストンは、貯留層流体が前記圧力降下デバイス環部の中および前記流入流体ポートの中に流れることを可能にするために、前記圧力降下デバイス筺体における前記複数のポートの一部を露出するように、部分的に移動することになり、
前記開口を通って流れる前記貯留層流体が予測された油に対するガスの比率および油に対する水の比率ならびに高い圧力を有する場合には、前記圧力ピストンは、貯留層流体が、前記圧力降下デバイス環部の中におよび前記流入流体ポートを通って流れることを可能にするために、前記圧力降下デバイス筺体における前記複数のポートの大部分を露出するように、移動することになり、
前記開口を通って流れる前記貯留層流体が、予測された油に対する水の比率より高いものおよび低い圧力を有する場合には、前記圧力ピストンは、無視できる程度に移動することになり、前記複数のポートが前記圧力降下デバイス筺体における前記開口を通る流体の流れを実質的に封鎖し、
前記開口を通って流れる前記貯留層流体が、予測された油に対する水の比率より高いものおよび高い圧力を有する場合には、前記圧力ピストンは、貯留層流体が、前記圧力降下デバイス環部の中におよび前記流入流体ポートを通って流れることを可能にするために、前記圧力降下デバイス筺体における前記複数のポートの一部を露出するように、部分的に移動することになる、請求項９に記載の流入制御デバイス。
【請求項１１】
地表面下の流体貯留層から表面に生成するための生成管列の中への流体の流れを制御するための流入制御デバイスであって、
軸を有する中央穴を画定する管状部材と、
前記管状部材の壁に形成された複数の通路であって、
各通路の終端部が前記通路の先頭部から１８０度であるように、各通路が前記管状部材を部分的に取り囲む、複数の通路と、
油に対する高い水の比率および油に対する高いガスの比率を有する貯留層流体の流れを制限するために、各流れ制限器内に位置付けられ選択されたおよび異なる密度の浮遊部材を有する、少なくとも２つの流れ制限器であって、
対応する前記流れ制限器の少なくとも１つが前記流入制御デバイスの最も高い高さにあり、対応する前記流れ制限器の少なくとも１つが前記流入制御デバイスの最も低い高さにあるように、前記複数の通路のうちのある通路は、垂直に向けられる、少なくとも２つの流れ制限器と、
前記流れ制限器の流出物と流体連通して各通路内に位置付けられ、前記貯留層流体の圧力に応じて圧力ピストンを用いて前記流れる流体に圧力差を作り出すための少なくとも１つの圧力降下デバイスであって、
前記圧力降下デバイスの流出物は、前記中央穴と連通して流入流体ポートの中に流れる、少なくとも１つの圧力降下デバイスと、
前記表面における前記生成管列に印加される流体圧力に応じて前記複数の通路から前記中央穴の中への流体の流れを制限するために、前記圧力降下デバイスの下流に位置付けられた圧力作動型ピストンと、
前記流入制御デバイスの上流端部近くの前記管状部材によって画定された環状開口内に位置付けられたフィルタ材であって、前記表面下の流体貯留層と前記複数の通路との間の流体連通を可能にする、フィルタ材と、
前記流入制御デバイスの上流端部上に位置付けられ、前記フィルタ材を清浄にするために前記中央穴から前記フィルタ材への流体連通を可能にするように、前記中央穴内の圧力に応じて作動可能である、圧力作動型部材と、を備える、流入制御デバイス。
【請求項１２】
前記複数の通路の各通路における前記少なくとも２つの流れ制限器は、互いに直列にある上流流れ制限器および下流流れ制限器を備え、
前記上流流れ制限器は、前記通路の前記先頭部における前記流体の収集チャンバに最も近く、前記下流流れ制限器は前記通路の前記終端部に最も近く、
前記流体貯留層が、油に対する高いガスの比率および油に対する高い水の比率の少なくとも１つを有する場合には、前記上流流れ制限器および前記下流流れ制限器の少なくとも１つは、前記貯留層流体の前記密度に応じて貯留層流体の流れを制限することになる、請求項１１に記載の流入制御デバイス。
【請求項１３】
各流れ制限器は、
上流チャンバおよび下流チャンバと、
前記上流チャンバを前記下流チャンバから分離する上流ポーティング壁であって、上流ポートを画定する、上流ポーティング壁と、
前記下流チャンバを前記通路から分離する下流ポーティング壁であって、下流ポートを画定する、下流ポーティング壁と、
前記上流チャンバ内に位置付けられたより軽い密度の上流部材と、
前記下流チャンバ内に位置付けられたより重い密度の下流部材と、を備え、
前記上流および下流チャンバは、前記上流および下流部材の径方向ならびに軸方向の移動を可能にし、前記上流および下流部材の周囲の移動を制限し、
前記上流および下流部材は、油に対する高いガスの比率および油に対する高い水の比率を有する流体の流れを制限するために、それぞれ、前記上流ポーティング壁ポートおよび前記下流ポーティング壁ポートと結合するように、前記流れ制限器を通過する前記流体の密度に応じて移動する、請求項１１に記載の流入制御デバイス。
【請求項１４】
前記上流部材が前記上流ポーティング壁および前記管状部材と接触するときに前記上流ポートの外縁が前記上流部材の中心と一致することになるように、前記上流ポートは、前記管状部材の外径に最も近く位置付けられ、
前記下流部材が前記下流ポーティング壁および前記管状部材に接触するときに前記下流ポートの中心が前記下流部材の中心と一致することになるように、前記下流ポートは、前記管状部材の前記外径に最も近く位置付けられる、請求項１３に記載の流入制御デバイス。
【請求項１５】
前記貯留層流体が、予測された油に対するガスの比率および油に対する水の比率を有する場合には、前記上流部材は、前記貯留層流体において浮遊することになり、前記下流部材は、前記貯留層流体において浮遊することも沈むこともなく、
前記貯留層流体が、予測された油に対するガスの比率よりも高いものを有する場合には、前記上流部材および前記下流部材は、前記貯留層流体において沈むことになり、
前記貯留層流体が、予測された油に対する水の比率よりも高いものを有する場合には、前記上流部材および前記下流部材は、前記貯留層流体において沈むことになる、請求項１３に記載の流入制御デバイス。
【請求項１６】
前記圧力降下デバイスは、
圧力降下デバイス筺体の軸に沿う複数のポート、上流端部における開口、および下流端部における圧力均等化ポートを有する、当該圧力降下デバイス筺体を備え、
前記圧力降下デバイス筺体は、前記圧力降下デバイス筺体と前記管状部材との間の圧力降下デバイス環部を画定し、前記圧力降下デバイス環部は、前記流入流体ポートと流体連通しており、
前記圧力ピストンは、前記圧力降下デバイス筺体内に位置付けられ、
前記圧力ピストンは、前記複数のポートの一部を露出し、前記流入流体ポートの中を通過する貯留層流体の流れを制限するように、前記開口における前記流体圧力および前記圧力均等化ポートにおける流体圧力に応じて移動する、請求項１１に記載の流入制御デバイス。
【請求項１７】
前記開口を通って流れる前記貯留層流体が、予測された油に対するガスの比率および油に対する水の比率ならびに低い圧力を有する場合には、前記圧力ピストンは、貯留層流体が、前記圧力降下デバイス環部の中および前記流入流体ポートの中に流れることを可能にするために、前記圧力降下デバイス筺体における前記複数のポートの一部を露出するように部分的に移動することになり、
前記開口を通って流れる前記貯留層流体が、予測された油に対するガスの比率および油に対する水の比率ならびに高い圧力を有する場合には、前記圧力ピストンは、貯留層流体が、前記圧力降下デバイス環部の中におよび前記流入流体ポートを通って流れることを可能にするために、前記圧力降下デバイス筺体における前記複数のポートの大部分を露出するように移動することになり、
前記開口を通って流れる前記貯留層流体が、予測された油に対する水の比率より高いものおよび低い圧力を有する場合には、前記圧力ピストンは、無視できる程度に移動することになり、前記圧力降下デバイス筺体における前記開口を通る流体の流れに対して前記複数のポートを実質的に封鎖し、
前記開口を通って流れる前記貯留層流体が、予測された油に対する水の比率より高いものおよび高い圧力を有する場合には、前記圧力ピストンは、貯留層流体が、前記圧力降下デバイス環部の中におよび前記流入流体ポートを通って流れることを可能にするために、前記圧力降下デバイス筺体における前記複数のポートの一部を露出するように、部分的に移動することになる、請求項１６に記載の流入制御デバイス。
【請求項１８】
前記圧力作動型ピストンは、
ピストン流体ポートと流体連通した下流端部、および前記流入流体ポートと流体連通した上流端部を有するピストンを備え、
前記圧力作動型ピストンは、前記少なくとも１つの圧力降下デバイスから前記流入流体ポートの中への流体の流れを可能にするおよび妨げるために、前記生成列に印加される流体圧力に応じて絞られていない位置と絞られた位置との間で移動可能である、請求項１１に記載の流入制御デバイス。
【手続補正２】
【補正対象書類名】明細書
【補正対象項目名】００６４
【補正方法】変更
【補正の内容】
【００６４】
本発明は、多くの形態や実施形態を取り得ることが理解される。従って、いくつかの変形は、発明の趣旨または範囲から逸脱することなく上記においてなされ得る。それ故、それの好適な実施形態のうちのいくつかを参照にして本発明を記載したので、開示された実施形態は、事実上、限定するものではなく例示的なものであることと、広範囲の変形、修正、変更、および置換が上記開示において意図され、いくつかの場合において、本発明のいくつかの特徴は、他の特徴の対応する使用を用いずに利用され得ることとに留意する。多くのそのような変形および修正は、好適な実施形態の上記の説明の検討に基づいて当業者によって自明かつ望ましいものとみなされ得る。従って、添付された特許請求の範囲が広く、また、発明の範囲と一致する手法で解釈されることが適切である。
以下に本発明の概念を示す。
［概念1]
地表面下の流体貯留層から生成管列への流体の流れを制御するための流入制御デバイスであって、
軸を有する中央穴を画定する管状部材であって、当該管状部材の上流および下流端部は前記生成管列に連結し得る、管状部材と、
前記管状部材の壁に形成された複数の通路と、
流体を受け入れるために前記管状部材の外部に導く前記複数の通路に対する上流入口と、
前記流体の密度に応じて流れ制限器を通る流れを制限するために、選択されたおよび異なる密度の浮遊素子を備える、少なくとも２つの当該流れ制限器を有する各通路と、
前記流れ制限器の流出物と流体連通した各通路内に位置付けられた少なくとも１つの圧力降下デバイスであって、前記貯留層の流体圧力に基づいて流れている前記流体内に圧力差を作り出すための圧力ピストンを有する、圧力降下デバイスと、を備え、
前記圧力降下デバイスの流出物は、前記中央穴と連通して流入流体ポートの中に流れる、流入制御デバイス。
［概念２］
前記流入制御デバイスの上流端部近くの前記管状部材によって画定された環状開口内に位置付けられたフィルタ材を更に備え、前記フィルタ材は、前記地表面下の流体貯留層と前記上流入口との間の流体連通を可能にし、前記流入制御デバイスの中への粒子状物質の流れを制限する、概念１に記載の流入制御デバイス。
［概念３］
圧力作動型部材は、前記管状部材の前記壁内に位置付けられ、前記フィルタ材から粒子を除去するために前記中央穴から前記フィルタ材への流体連通を可能にするように、前記中央穴内の圧力に応じて作動可能である、概念２に記載の流入制御デバイス。
［概念４］
各通路の終端部が前記通路の先頭部から１８０度であるように、前記複数の通路の各通路は、前記管状部材を部分的に取り囲み、
前記少なくとも２つの流れ制限器は、油に対する高い水の比率および油に対する高いガスの比率を有する貯留層流体の流れを制限するために各通路内に位置付けられる、概念１に記載の流入制御デバイス。
［概念５］
前記複数の通路における少なくとも１つの通路は、垂直に向けられた先頭部および垂直に向けられた終端部を有し、
前記少なくとも２つの流れ制限器の少なくとも１つは、前記流入制御デバイスの最も高い高さにあり、
前記少なくとも２つの流れ制限器の少なくとも１つは、前記流入制御デバイスの最も低い高さにある、概念４に記載の流入制御デバイス。
［概念６］
前記流れ制限器は、前記浮遊部材の径方向および軸方向の移動を可能にし、前記浮遊部材の周囲の移動を制限する、概念１に記載の流入制御デバイス。
［概念７］
絞り装置は、表面から前記生成列に印加される流体圧力に応じて前記流入流体ポートを通る流体の流れを絞るために、前記複数の通路に最も近く位置付けられる、概念１に記載の流入制御デバイス。
［概念８］
前記管状部材を取り囲む管状筺体を更に備え、
前記管状筺体の内径は、前記管状筺体と前記管状部材との間の環部を画定し、
前記複数の通路、前記少なくとも２つの流れ制限器、および前記圧力降下デバイスは、前記環部内に形成される、概念１に記載の流入制御デバイス。
［概念９］
前記圧力降下デバイスは、
圧力降下デバイス筺体の軸に沿う複数のポート、上流端部における開口、および下流端部における圧力均等化ポートを有する、当該圧力降下デバイス筺体を備え、
前記圧力降下デバイス筺体は、前記圧力降下デバイス筺体と前記管状部材との間に圧力降下デバイス環部を画定し、前記圧力降下デバイス環部は、前記流入流体ポートと流体連通し、
前記圧力ピストンは、前記圧力降下デバイス筺体内に位置付けられ、
前記圧力ピストンは、前記複数のポートの一部を露出し、前記流入流体ポートの中を通過する貯留層流体の流れを制限するために、前記開口における前記流体圧力および前記圧力均等化ポートにおける流体圧力に応じて移動する、概念１に記載の流入制御デバイス。
［概念１０］
前記開口を通って流れる前記貯留層流体が予測された油に対するガスの比率および油に対する水の比率ならびに低い圧力を有する場合には、前記圧力ピストンは、貯留層流体が前記圧力降下デバイス環部の中および前記流入流体ポートの中に流れることを可能にするために、前記圧力降下デバイス筺体における前記複数のポートの一部を露出するように、部分的に移動することになり、
前記開口を通って流れる前記貯留層流体が予測された油に対するガスの比率および油に対する水の比率ならびに高い圧力を有する場合には、前記圧力ピストンは、貯留層流体が、前記圧力降下デバイス環部の中におよび前記流入流体ポートを通って流れることを可能にするために、前記圧力降下デバイス筺体における前記複数のポートの大部分を露出するように、移動することになり、
前記開口を通って流れる前記貯留層流体が、予測された油に対する水の比率より高いものおよび低い圧力を有する場合には、前記圧力ピストンは、無視できる程度に移動することになり、前記複数のポートが前記圧力降下デバイス筺体における前記開口を通る流体の流れを実質的に封鎖し、
前記開口を通って流れる前記貯留層流体が、予測された油に対する水の比率より高いものおよび高い圧力を有する場合には、前記圧力ピストンは、貯留層流体が、前記圧力降下デバイス環部の中におよび前記流入流体ポートを通って流れることを可能にするために、前記圧力降下デバイス筺体における前記複数のポートの一部を露出するように、部分的に移動することになる、概念９に記載の流入制御デバイス。
［概念１１］
地表面下の流体貯留層から表面に生成するための生成管列の中への流体の流れを制御するための流入制御デバイスであって、
軸を有する中央穴を画定する管状部材と、
前記管状部材の壁に形成された複数の通路であって、
各通路の終端部が前記通路の先頭部から１８０度であるように、各通路が前記管状部材を部分的に取り囲む、複数の通路と、
油に対する高い水の比率および油に対する高いガスの比率を有する貯留層流体の流れを制限するために、各流れ制限器内に位置付けられ選択されたおよび異なる密度の浮遊部材を有する、少なくとも２つの流れ制限器であって、
対応する前記流れ制限器の少なくとも１つが前記流入制御デバイスの最も高い高さにあり、対応する前記流れ制限器の少なくとも１つが前記流入制御デバイスの最も低い高さにあるように、前記複数の通路のうちのある通路は、垂直に向けられる、少なくとも２つの流れ制限器と、
前記流れ制限器の流出物と流体連通して各通路内に位置付けられ、前記貯留層流体の圧力に応じて圧力ピストンを用いて前記流れる流体に圧力差を作り出すための少なくとも１つの圧力降下デバイスであって、
前記圧力降下デバイスの流出物は、前記中央穴と連通して流入流体ポートの中に流れる、少なくとも１つの圧力降下デバイスと、
前記表面における前記生成管列に印加される流体圧力に応じて前記複数の通路から前記中央穴の中への流体の流れを制限するために、前記圧力降下デバイスの下流に位置付けられた圧力作動型絞り装置と、
前記流入制御デバイスの上流端部近くの前記管状部材によって画定された環状開口内に位置付けられたフィルタ材であって、前記表面下の流体貯留層と前記複数の通路との間の流体連通を可能にする、フィルタ材と、
前記流入制御デバイスの上流端部上に位置付けられ、前記フィルタ材を清浄にするために前記中央穴から前記フィルタ材への流体連通を可能にするように、前記中央穴内の圧力に応じて作動可能である、圧力作動型部材と、を備える、流入制御デバイス。
［概念１２］
前記複数の通路の各通路における前記少なくとも２つの流れ制限器は、互いに直列にある上流流れ制限器および下流流れ制限器を備え、
前記上流流れ制限器は、前記通路の前記先頭部における前記流体の収集チャンバに最も近く、前記下流流れ制限器は前記通路の前記終端部に最も近く、
前記流体貯留層が、油に対する高いガスの比率および油に対する高い水の比率の少なくとも１つを有する場合には、前記上流流れ制限器および前記下流流れ制限器の少なくとも１つは、前記貯留層流体の前記密度に応じて貯留層流体の流れを制限することになる、概念１１に記載の流入制御デバイス。
［概念１３］
各流れ制限器は、
上流チャンバおよび下流チャンバと、
前記上流チャンバを前記下流チャンバから分離する上流ポーティング壁であって、上流ポートを画定する、上流ポーティング壁と、
前記下流チャンバを前記通路から分離する下流ポーティング壁であって、下流ポートを画定する、下流ポーティング壁と、
前記上流チャンバ内に位置付けられたより軽い密度の上流部材と、
前記下流チャンバ内に位置付けられたより重い密度の下流部材と、を備え、
前記上流および下流チャンバは、前記上流および下流部材の径方向ならびに軸方向の移動を可能にし、前記上流および下流部材の周囲の移動を制限し、
前記上流および下流部材は、油に対する高いガスの比率および油に対する高い水の比率を有する流体の流れを制限するために、それぞれ、前記上流ポーティング壁ポートおよび前記下流ポーティング壁ポートと結合するように、前記流れ制限器を通過する前記流体の密度に応じて移動する、概念１１に記載の流入制御デバイス。
［概念１４］
前記上流部材が前記上流ポーティング壁および前記管状部材と接触するときに前記上流ポートの外縁が前記上流部材の中心と一致することになるように、前記上流ポートは、前記管状部材の外径に最も近く位置付けられ、
前記下流部材が前記下流ポーティング壁および前記管状部材に接触するときに前記下流ポートの中心が前記下流部材の中心と一致することになるように、前記下流ポートは、前記管状部材の前記外径に最も近く位置付けられる、概念１３に記載の流入制御デバイス。
［概念１５］
前記貯留層流体が、予測された油に対するガスの比率および油に対する水の比率を有する場合には、前記上流部材は、前記貯留層流体において浮遊することになり、前記下流部材は、前記貯留層流体において浮遊することも沈むこともなく、
前記貯留層流体が、予測された油に対するガスの比率よりも高いものを有する場合には、前記上流部材および前記下流部材は、前記貯留層流体において沈むことになり、
前記貯留層流体が、予測された油に対する水の比率よりも高いものを有する場合には、前記上流部材および前記下流部材は、前記貯留層流体において沈むことになる、概念１３に記載の流入制御デバイス。
［概念１６］
前記圧力降下デバイスは、
圧力降下デバイス筺体の軸に沿う複数のポート、上流端部における開口、および下流端部における圧力均等化ポートを有する、当該圧力降下デバイス筺体を備え、
前記圧力降下デバイス筺体は、前記圧力降下デバイス筺体と前記管状部材との間の圧力降下デバイス環部を画定し、前記圧力降下デバイス環部は、前記流入流体ポートと流体連通しており、
前記圧力ピストンは、前記圧力降下デバイス筺体内に位置付けられ、
前記圧力ピストンは、前記複数のポートの一部を露出し、前記流入流体ポートの中を通過する貯留層流体の流れを制限するように、前記開口における前記流体圧力および前記圧力均等化ポートにおける流体圧力に応じて移動する、概念１１に記載の流入制御デバイス。
［概念１７］
前記開口を通って流れる前記貯留層流体が、予測された油に対するガスの比率および油に対する水の比率ならびに低い圧力を有する場合には、前記圧力ピストンは、貯留層流体が、前記圧力降下デバイス環部の中および前記流入流体ポートの中に流れることを可能にするために、前記圧力降下デバイス筺体における前記複数のポートの一部を露出するように部分的に移動することになり、
前記開口を通って流れる前記貯留層流体が、予測された油に対するガスの比率および油に対する水の比率ならびに高い圧力を有する場合には、前記圧力ピストンは、貯留層流体が、前記圧力降下デバイス環部の中におよび前記流入流体ポートを通って流れることを可能にするために、前記圧力降下デバイス筺体における前記複数のポートの大部分を露出するように移動することになり、
前記開口を通って流れる前記貯留層流体が、予測された油に対する水の比率より高いものおよび低い圧力を有する場合には、前記圧力ピストンは、無視できる程度に移動することになり、前記圧力降下デバイス筺体における前記開口を通る流体の流れに対して前記複数のポートを実質的に封鎖し、
前記開口を通って流れる前記貯留層流体が、予測された油に対する水の比率より高いものおよび高い圧力を有する場合には、前記圧力ピストンは、貯留層流体が、前記圧力降下デバイス環部の中におよび前記流入流体ポートを通って流れることを可能にするために、前記圧力降下デバイス筺体における前記複数のポートの一部を露出するように、部分的に移動することになる、概念１６に記載の流入制御デバイス。
［概念１８］
前記絞り装置は、
ピストン流体ポートと流体連通した下流端部、および前記流入流体ポートと流体連通した上流端部を有するピストンを備え、
前記ピストンは、前記少なくとも１つの圧力降下デバイスから前記流入流体ポートの中への流体の流れを可能にするおよび妨げるために、前記生成列に印加される流体圧力に応じて絞られていない位置と絞られた位置との間で移動可能である、概念１１に記載の流入制御デバイス。
［概念１９］
流入制御デバイスを用いて地表面下の貯留層から流体を生成するための方法であって、
（ａ）少なくとも１つの流入制御デバイスを生成管列に連結するステップと、
（ｂ）前記生成管列を坑井穴の中へ敷設するステップと、
（ｃ）前記生成管列の中へ敷設する間に前記流入制御デバイスを通る貯留層流体の流れを妨げるために、前記管列に流体圧力を印加するステップと、
（ｄ）油に対する高い水の比率および油に対する高いガスの比率を有する貯留層流体の流れを制限し、前記流入制御デバイスを用いて前記貯留層流体の前記流れの割合を制御する間に、貯留層流体が前記流入制御デバイスを通って前記生成管列の中に流れることを可能にするために、前記生成管列から流体圧力を除去するステップと、
（ｅ）貯留層流体の流れの実質的な遮断が起こる場合には、前記流入制御デバイスを通るおよび前記貯留層の中への流体の流れを生じさせるために、敷設の間に印加された前記流体圧力よりも大きな流体圧力を前記生成管列に印加するステップと、
（ｆ）貯留層流体の生成を継続するために、前記流体圧力を除去するステップと、を含む、方法。
［概念２０］
ステップ（ｅ）は、
前記流入制御デバイスの環部を通る貯留層流体の流れを封鎖する絞られた位置にピストンを移動するために、前記ピストンに流体圧力を印加することと、
圧縮性円盤を圧縮するために、また、前記流入制御デバイスの流体洗浄ポートであって、前記流入制御デバイスのフィルタ材と流体連通している流体洗浄ポートを通る流体の流れを可能にするために、前記円盤に流体圧力を印加することと、
前記流入制御デバイスの中への前記貯留層流体の流れを封鎖する粒子状物質を除去するために、前記生成管、前記流体洗浄ポート、および前記フィルタ材を通して洗浄流体を循環させることと、を更に含む、概念１９に記載の方法。